(57)【要約】【課題】軽量コンパクトでかつ結露水の飛散が抑制された熱交換器を備える熱交換ユニットを提供する。【解決手段】熱交換ユニット１０は、第１熱交換部２１と第２熱交換部２２とを備える。第１熱交換部２１は、複数の第１扁平管２６と複数の第１伝熱フィン２５とを有する。第２熱交換部２２は、複数の第２扁平管２８と複数の第２伝熱フィン２７とを有する。第２熱交換部２２は、第１熱交換部２１の端部２１ａから第１熱交換部２１とは異なる方向に延びる。複数の第１伝熱フィン２５は、それぞれ、上側に位置して第１扁平管２６が差し込まれる第１主部２５ａと、下側に位置する第１連通部２５ｂとを持つ。複数の第２伝熱フィン２７は、それぞれ、上側に位置して第２扁平管２８が差し込まれる第２主部２７ａと、下側に位置する第２連通部２７ｂとを持つ。【選択図】図４
2018044681.tif 000002
【特許請求の範囲】
【請求項１】
複数の第１扁平管（２６）と複数の第１伝熱フィン（２５）とを有する第１熱交換部（２１）と、
前記第１熱交換部の端部又は前記端部の近傍から前記第１熱交換部とは異なる方向に延び、複数の前記第１扁平管が延びる方向に沿って延びる複数の第２扁平管（２８）と複数の第２伝熱フィン（２７）とを有する第２熱交換部（２２）と
を備え、
複数の前記第１伝熱フィンは、それぞれ、上側に位置して前記第１扁平管が差し込まれる複数の第１切り欠き（２５ｃ）の形成された第１主部（２５ａ）と、複数の前記第１切り欠きの複数の第１開口端とは反対側の下側に位置する第１連通部（２５ｂ）とを持ち、
複数の前記第２伝熱フィンは、それぞれ、上側に位置して前記第２扁平管が差し込まれる複数の第２切り欠き（２７ｃ）の形成された第２主部（２７ａ）と、複数の前記第２切り欠きの複数の第２開口端とは反対側の下側に位置する第２連通部（２７ｂ）とを持つ、熱交換ユニット。
【請求項２】
前記第１熱交換部及び前記第２熱交換部の横に配置され、前記第１熱交換部及び前記第２熱交換部に気流を発生させる送風ファン（３０）をさらに備え、
前記第１熱交換部は、前記第２熱交換部の上端部又は前記上端部の近傍から上に向かって前記第２熱交換部とは異なる方向に延び、前記第１主部が風下側に位置するとともに前記第１連通部が風上側に位置するように配置され、
前記第２熱交換部は、前記第２主部が風上側に位置するとともに前記第２連通部が風下側に位置するように配置されている、
請求項１に記載の熱交換ユニット。
【請求項３】
前記第１熱交換部及び前記第２熱交換部の横に配置され、前記第１熱交換部及び前記第２熱交換部に気流を発生させる送風ファン（３０）をさらに備え、
前記第１熱交換部は、前記第２熱交換部の上端部又は前記上端部の近傍から上に向かって前記第２熱交換部とは異なる方向に延び、前記第１主部が風上側に位置するとともに前記第１連通部が風下側に位置するように配置され、
前記第２熱交換部は、前記第２主部が風下側に位置するとともに前記第２連通部が風上側に位置するように配置されている、
請求項１に記載の熱交換ユニット。
【請求項４】
前記第１熱交換部が斜め上向きに延びるとともに前記第２熱交換部は斜め下向きに延びることにより前記第１伝熱フィン及び前記第２伝熱フィンの面に垂直な方向から見たときに前記第１熱交換部と前記第２熱交換部が楔形の形状を呈するように互いに接続されている、
請求項１から３のいずれか一項に記載の熱交換ユニット。
【請求項５】
前記第１熱交換部及び前記第２熱交換部に下方から上方に向かう気流を発生させる送風ファン（３０）をさらに備え、
前記第１熱交換部及び前記第２熱交換部は、互いに接近又は互いに接触した上端部からそれぞれ反対方向に向かって下に延び、前記第１主部及び前記第２主部が風下側に位置するとともに前記第１連通部及び前記第２連通部が風上側に位置するように配置されている、
請求項１に記載の熱交換ユニット。
【請求項６】
前記第１熱交換部及び前記第２熱交換部に下方から上方に向かう気流を発生させる送風ファン（３０）をさらに備え、
前記第１熱交換部及び前記第２熱交換部は、互いに接近又は互いに接触した下端部からそれぞれ反対方向に向かって上に延び、前記第１主部及び前記第２主部が風下側に位置するとともに前記第１連通部及び前記第２連通部が風上側に位置するように配置されている、
請求項１に記載の熱交換ユニット。
【請求項７】
前記第１熱交換部及び前記第２熱交換部に上方から下方に向かう気流を発生させる送風ファン（３０）をさらに備え、
前記第１熱交換部及び前記第２熱交換部は、互いに接近又は互いに接触した上端部からそれぞれ反対方向に向かって下に延び、前記第１主部及び前記第２主部が風上側に位置するとともに前記第１連通部及び前記第２連通部が風下側に位置するように配置されている、
請求項１に記載の熱交換ユニット。
【請求項８】
前記第１熱交換部及び前記第２熱交換部に上方から下方に向かう気流を発生させる送風ファン（３０）をさらに備え、
前記第１熱交換部及び前記第２熱交換部は、互いに接近又は互いに接触した下端部からそれぞれ反対方向に向かって上に延び、前記第１主部及び前記第２主部が風上側に位置するとともに前記第１連通部及び前記第２連通部が風下側に位置するように配置されている、
請求項１に記載の熱交換ユニット。
【請求項９】
前記第１熱交換部及び前記第２熱交換部のうちの少なくとも一方に流入する気流の前面風速が２ｍ／ｓｅｃ以下である、
請求項１から８のいずれか一項に記載の熱交換ユニット。
【発明の詳細な説明】
【技術分野】
【０００１】
本発明は、熱交換ユニットに関する。
【背景技術】
【０００２】
従来、互いに平行に配置された複数の伝熱フィンとその伝熱フィンに差し込まれた複数の扁平管を備える、例えば特許文献１（特開２０１３−２２１７１３号公報）に記載されているような熱交換器が知られている。特許文献１の熱交換器では、伝熱フィンを扁平管が貫通するようにして、扁平管の両側で伝熱フィンを連通させている。このように扁平管の両側で伝熱フィンが連通している熱交換器では、伝熱フィンがどちらに傾いても伝熱フィンのどちらかの連通部を使って結露水を流すことができる。
【発明の概要】
【発明が解決しようとする課題】
【０００３】
しかし、特許文献１に記載されているように、伝熱フィンを扁平管が貫通して両側に連通部があるような熱交換器では、熱交換器の製造が困難なため製造コストが高くなってしまう。また熱交換器が大型化してしまう。
【０００４】
本発明の課題は、簡素な構成で、軽量コンパクトでかつ結露水の飛散が抑制された熱交換器を備える熱交換ユニットを提供することである。
【課題を解決するための手段】
【０００５】
本発明の第１観点に係る熱交換ユニットは、複数の第１扁平管と複数の第１伝熱フィンとを有する第１熱交換部と、第１熱交換部の端部又は端部の近傍から第１熱交換部とは異なる方向に延び、複数の第１扁平管が延びる方向に沿って延びる複数の第２扁平管と複数の第２伝熱フィンとを有する第２熱交換部とを備え、複数の第１伝熱フィンは、それぞれ、上側に位置して第１扁平管が差し込まれる複数の第１切り欠きの形成された第１主部と、複数の第１切り欠きの複数の第１開口端とは反対側の下側に位置する第１連通部とを持ち、複数の第２伝熱フィンは、それぞれ、上側に位置して第２扁平管が差し込まれる複数の第２切り欠きの形成された第２主部と、複数の第２切り欠きの複数の第２開口端とは反対側の下側に位置する第２連通部とを持つ。
【０００６】
本発明の第１観点に係る熱交換ユニットによれば、第１熱交換部の第１伝熱フィンの第１連通部が下側に位置し、第２熱交換部の第２伝熱フィンの第２連通部も下側に位置することから、第１連通部も第２連通部も結露水の流路とすることができる。
【０００７】
本発明の第２観点に係る熱交換ユニットは、第１観点の熱交換ユニットにおいて、第１熱交換部及び第２熱交換部の横に配置され、第１熱交換部及び第２熱交換部に気流を発生させる送風ファンをさらに備え、第１熱交換部は、第２熱交換部の上端部又は上端部の近傍から上に向かって第２熱交換部とは異なる方向に延び、第１主部が風下側に位置するとともに第１連通部が風上側に位置するように配置され、第２熱交換部は、第２主部が風上側に位置するとともに第２連通部が風下側に位置するように配置されている、ものである。
【０００８】
本発明の第２観点に係る熱交換ユニットによれば、第１熱交換部では、結露水が重力により第１連通部を伝う方向が気流の向きに対して順方向になるので、第２熱交換部の上端部又はその近傍に、第１熱交換部で発生した結露水を集め易くなる。また、第２熱交換部では、第２扁平管を結露水が重力によって伝う方向が気流の向きに対して順方向になることから第２連通部が風下側に位置するので第２主部から第２連通部に結露水を集め易くなる。
【０００９】
本発明の第３観点に係る熱交換ユニットは、第１観点の熱交換ユニットにおいて、第１熱交換部及び第２熱交換部の横に配置され、第１熱交換部及び第２熱交換部に気流を発生させる送風ファンをさらに備え、第１熱交換部は、第２熱交換部の上端部又は上端部の近傍から上に向かって第２熱交換部とは異なる方向に延び、第１主部が風上側に位置するとともに第１連通部が風下側に位置するように配置され、第２熱交換部は、第２主部が風下側に位置するとともに第２連通部が風上側に位置するように配置されている、ものである。
【００１０】
本発明の第３観点に係る熱交換ユニットによれば、第１熱交換部では、第１扁平管を結露水が重力によって伝う方向が気流の向きに対して順方向になるので第１主部を風下側に位置させる場合に比べて結露水の飛散を少なくすることができる。また、第２熱交換部では、第２連通部の風下側が下がっていることから第２連通部を結露水が重力によって伝う方向が気流の向きに対して順方向になるので第２連通部に集まった結露水を第２連通部の下端に移動させ易くなる。
【００１１】
本発明の第４観点に係る熱交換ユニットは、第1観点から第３観点のいずれかの熱交換ユニットにおいて、第１熱交換部が斜め上向きに延びるとともに第２熱交換部は斜め下向きに延びることにより第１伝熱フィン及び第２伝熱フィンの面に垂直な方向から見たときに第１熱交換部と第２熱交換部が楔形の形状を呈するように互いに接続されている、ものである。
【００１２】
本発明の第４観点に係る熱交換ユニットによれば、第１熱交換部が斜め上向きに延びるとともに前記第２熱交換部は斜め下向きに延びることから第１扁平管及び第２扁平管で風向きが斜め方向に変更され、また第１連通部及び第２連通部が斜め方向に延びていて第１連通部及び第２連通部が斜め方向に結露水を導くことができる。
【００１３】
本発明の第５観点に係る熱交換ユニットは、第１観点の熱交換ユニットにおいて、第１熱交換部及び第２熱交換部に下方から上方に向かう気流を発生させる送風ファンをさらに備え、第１熱交換部及び第２熱交換部は、互いに接近又は互いに接触した上端部からそれぞれ反対方向に向かって下に延び、第１主部及び第２主部が下方の風下側に位置するとともに第１連通部及び第２連通部が風上側に位置するように配置されている、ものである。
【００１４】
本発明の第５観点に係る熱交換ユニットによれば、重力により上から下に結露水が流れて第１主部から第１連通部に向けてまた第２主部から第２連通部に向けて結露水が流れることから、第１連通部及び第２連通部に結露水を集め易くなる。また、第１連通部及び第２連通部で導水できるので、逆に第１主部及び第２主部を下方の風上側に位置させる場合に比べて結露水の飛散を少なくすることができる。さらに、第１連通部及び第２連通部を流れる結露水に対して下から空気が吹きつけることで結露水が第１連通部及び第２連通部の途中で落下せずに下端まで流れ易くなる。
【００１５】
本発明の第６観点に係る熱交換ユニットは、第１観点の熱交換ユニットにおいて、第１熱交換部及び第２熱交換部に下方から上方に向かう気流を発生させる送風ファンをさらに備え、第１熱交換部及び第２熱交換部は、互いに接近又は互いに接触した下端部からそれぞれ反対方向に向かって上に延び、第１主部及び第２主部が風下側に位置するとともに第１連通部及び第２連通部が風上側に位置するように配置されている、ものである。
【００１６】
本発明の第６観点に係る熱交換ユニットによれば、重力により上から下に結露水が流れて第１主部から第１連通部に向けてまた第２主部から第２連通部に向けて気流に対して結露水が流れることから、第１連通部及び第２連通部に結露水を集め易くなる。また、第１連通部及び第２連通部で導水できるので、逆に第１主部及び第２主部を下方の風上側に位置させる場合に比べて結露水の飛散を少なくすることができる。さらに、第１連通部及び第２連通部を流れる結露水に対して下から空気が吹きつけることで結露水が第１連通部及び第２連通部の途中で落下せずに下端まで流れ易くなる。
【００１７】
本発明の第７観点に係る熱交換ユニットは、第１観点の熱交換ユニットにおいて、第１熱交換部及び第２熱交換部に上方から下方に向かう気流を発生させる送風ファンをさらに備え、第１熱交換部及び第２熱交換部は、互いに接近又は互いに接触した上端部からそれぞれ反対方向に向かって下に延び、第１主部及び第２主部が風上側に位置するとともに第１連通部及び第２連通部が風下側に位置するように配置されている、ものである。
【００１８】
本発明の第７観点に係る熱交換ユニットによれば、重力により第１主部から第１連通部に向けてまた第２主部から第２連通部に向けて上から下に結露水が流れる方向が気流に対して順方向になり、速やかに結露水を下方に集めることができる。また、下方の連通する第１連通部及び第２連通部に結露水が導かれるので第１主部及び第２主部を下方の風下側に位置させる場合に比べて結露水の飛散を少なくすることができる。
【００１９】
本発明の第８観点に係る熱交換ユニットは、第１観点の熱交換ユニットにおいて、第１熱交換部及び第２熱交換部に上方から下方に向かう気流を発生させる送風ファンをさらに備え、第１熱交換部及び第２熱交換部は、互いに接近又は互いに接触した下端部からそれぞれ反対方向に向かって上に延び、第１主部及び第２主部が風上側に位置するとともに第１連通部及び第２連通部が風下側に位置するように配置されている、ものである。
【００２０】
本発明の第８観点に係る熱交換ユニットによれば、重力により第１主部から第１連通部に向けてまた第２主部から第２連通部に向けて上から下に結露水が流れる方向が気流に対して順方向になり、速やかに結露水を下方に集めることができる。また、下方の連通する第１連通部及び第２連通部に結露水が導かれるので第１主部及び第２主部を下方の風下側に位置させる場合に比べて結露水の飛散を少なくすることができる。
【００２１】
本発明の第９観点に係る熱交換ユニットは、第１観点から第８観点のいずれかの熱交換ユニットにおいて、第１熱交換部及び第２熱交換部のうちの少なくとも一方に流入する気流の前面風速が２ｍ／ｓｅｃ以下である、ものである。
【００２２】
本発明の第９観点に係る熱交換ユニットによれば、前面風速が２ｍ／ｓｅｃ以下にすることにより、通風抵抗の増加と結露水の飛散を抑制しつつ結露水の排水性を良くすることができる範囲で熱交換ユニットによる熱交換を行わせることができる。
【発明の効果】
【００２３】
本発明の第１観点に係る熱交換ユニットでは、第１扁平管と第２扁平管を差し込む第１切り欠きと第２切り欠きが形成された第１伝熱フィン及び第２伝熱フィンを用いて簡素な構成で軽量コンパクト化が図れ、結露水が重力によって第１熱交換部の第１連通部と第２熱交換部の第２連通部とを流れるので結露水の飛散が防止される。
【００２４】
本発明の第２観点に係る熱交換ユニットでは、第２熱交換部での結露水の飛散を抑制する効果を高め且つ第２熱交換部の第２連通部を使って速やかに結露水を排水することができる。
【００２５】
本発明の第３観点に係る熱交換ユニットでは、第１熱交換部での結露水の飛散を抑制する効果を高め且つ第２熱交換部の第２連通部を使って速やかに結露水を排水することができる。
【００２６】
本発明の第４観点に係る熱交換ユニットでは、水平方向への結露水の飛散が抑制される。
【００２７】
本発明の第５観点に係る熱交換ユニットでは、第１連通部及び第２連通部の下端まで結露水を導き易くなる。
【００２８】
本発明の第６観点に係る熱交換ユニットでは、第１連通部及び第２連通部の下端まで結露水を導き易くなる。
【００２９】
本発明の第７観点に係る熱交換ユニットでは、第１連通部及び第２連通部の下端まで速やかに結露水を導くことができる。
【００３０】
本発明の第８観点に係る熱交換ユニットでは、第１連通部及び第２連通部の下端まで速やかに結露水を導くことができる。
【００３１】
本発明の第９観点に係る熱交換ユニットでは、通風抵抗の増加と結露水の飛散を抑制しつつ結露水の排水性を良くすることができる。
【図面の簡単な説明】
【００３２】
【図１】第１実施形態に係る熱交換ユニットの外観を示す斜視図。
【図２】図１のケーシングの一部を取除いて熱交換器の一部を切り欠いた状態を示す斜視図。
【図３】図２の状態の熱交換ユニットを示す側面図。
【図４】熱交換器の断面の一部を拡大した拡大断面図。
【図５】変形例１Ａに係る熱交換ユニットを示す模式的な断面図。
【図６】変形例１Ｂに係る熱交換ユニットを示す模式的な断面図。
【図７】変形例１Ｃに係る熱交換ユニットを示す模式的な断面図。
【図８】第１実施形態の効果を説明するための熱交換器の模式的な拡大断面図。
【図９】第１実施形態の効果を説明するための他の熱交換器の模式的な拡大断面図。
【図１０】第２実施形態に係る熱交換ユニットの構成を示す斜視図。
【図１１】第２実施形態に係る熱交換ユニットの構成を示す断面図。
【図１２】変形例２Ａに係る熱交換ユニットを説明するための模式的な断面図。
【図１３】変形例２Ｂに係る熱交換ユニットを説明するための模式的な断面図。
【図１４】変形例２Ｃに係る熱交換ユニットを説明するための模式的な断面図。
【図１５】変形例２Ｄに係る熱交換ユニットを説明するための模式的な断面図。
【図１６】変形例２Ｅに係る熱交換ユニットを説明するための模式的な断面図。
【図１７】変形例２Ｆに係る熱交換ユニットを説明するための模式的な断面図。
【図１８】変形例２Ｇに係る熱交換ユニットを説明するための模式的な断面図。
【図１９】第３実施形態に係る熱交換ユニットの構成を説明するために一部を破断した部分破断斜視図。
【図２０】第３実施形態に係る熱交換器とその周辺の構成を示す断面図。
【図２１】第４実施形態に係る熱交換ユニットの外観を示す斜視図。
【図２２】図２１のＩ−Ｉ線で切断した熱交換ユニットの断面図。
【図２３】（ａ）本実施形態の熱交換部の排水性の評価の状態を示す模式図、（ｂ）従来の熱交換部の排水性の評価の状態を示す模式図。
【図２４】排水性評価の結果を示す図２１のＩ−Ｉ線で切断した熱交換ユニットの断面図。
【図２５】（ａ）本実施形態の熱交換部の排水性の評価についての他の状態を示す模式図、（ｂ）従来の熱交換部の排水性の評価についての他の状態を示す模式図。
【発明を実施するための形態】
【００３３】
＜第１実施形態＞
（１）ダクト型の熱交換ユニットの構成
図１には、本発明の第１実施形態に係るダクト型の熱交換ユニットの外観が示されている。図２には、図１の熱交換ユニットのケーシングの一部を取り外して、熱交換ユニットの内部が示されている。図２においては、熱交換器の構成をわかり易くするために、熱交換器を一部切り欠いて示している。また、図３には、図２の状態の熱交換ユニットを側面から見た状態が示されている。図１乃至図３において、Ｘ方向が熱交換ユニットの前後方向、Ｙ方向が左右方向、そしてＺ方向が上下方向に対応する。
【００３４】
ダクト型の熱交換ユニット１０は、ケーシング１１と、仕切部材１２と、熱交換器２０と、送風ファン３０と、ドレンパン４０とを備えている。ケーシング１１の前面１１ａに吸込口１３が形成され、背面１１ｂに吹出口１４が形成されている。吸込口１３には吸込ダクト１５が接続され、吹出口１４には吹出ダクト１６が接続される。吸込口１３に続けて熱交換器室１７と、熱交換器室１７の後方に送風機室１８が配置され、送風機室１８が吹出口１４に続いている。熱交換器室１７と送風機室１８とは仕切部材１２によって仕切られている。
【００３５】
熱交換器２０は、熱交換器室１７に設置され、送風ファン３０は、送風機室１８に設置されている。送風ファン３０は、吸込口１３から熱交換器室１７と送風機室１８とを経由して吹出口１４に向かって流れる気流ＡＦを生成する。この送風ファン３０が発生する気流ＡＦは、二点鎖線の矢印で示されている。この気流ＡＦは、上下方向（Ｚ方向）及び左右方向（Ｙ方向）に細かく向きを変えながら前後方向（Ｘ方向）に流れる。送風ファン３０が生成する気流ＡＦは、吸込口１３、熱交換器２０、送風ファン３０及び吹出口１４を順に通過する。熱交換器室１７において、熱交換器２０の下にはドレンパン４０が配置されている。ドレンパン４０は、熱交換器２０で発生した結露水を受ける。
【００３６】
（２）熱交換器２０
熱交換器２０は、第１熱交換部２１と第２熱交換部２２とを備えている。第１熱交換部２１の一方の端部２１ａと第２熱交換部２２の一方の端部２２ａとは仕切板２３で接続されている。第１熱交換部２１は、その端部２１ａに接触した第２熱交換部２２の端部２２ａから第２熱交換部２２とは異なる方向に延びている。つまり、第１熱交換部２１が端部２１ａから気流ＡＦの上流側の斜め上方に向かって延びているのに対して、第２熱交換部２２は、端部２１ａから気流ＡＦの上流側の斜め下方に向かって延びている。つまり、熱交換器２０を側面から見ると、第１熱交換部２１と第２熱交換部２２が楔形の形状を呈し、さらに詳しくは、Ｖ字型を９０度回転させて端部２１ａ，２２ａが下流側に配置されるような形状を呈する。このとき上流側に配置されている他の端部２１ｂ，２２ｂは、互いに上下方向に（Ｚ方向に）離れており、第１熱交換部２１の端部２１ｂがケーシング１１の上面１１ｃの近傍に配置され、第２熱交換部２２の端部２２ｂがケーシング１１の下面１１ｄの近傍に配置される。
【００３７】
第１熱交換部２１は、複数の第１伝熱フィン２５と複数の第１扁平管２６とを有している。また、第２熱交換部２２は、複数の第２伝熱フィン２７と複数の第２扁平管２８とを有している。各第１伝熱フィン２５及び各第２伝熱フィン２７は、ＸＺ平面に平行に配置されている。そして、複数の第１伝熱フィン２５は、左右方向（Ｙ方向）に並べられている。同様に、複数の第２伝熱フィン２７も、左右方向に並べられている。送風ファン３０によって発生する気流ＡＦは、互いに隣接する第１伝熱フィン２５の間を通り抜けるか、又は互いに隣接する第２伝熱フィン２７の間を通り抜ける。
【００３８】
各第１扁平管２６は、左右方向（Ｙ方向）に延びている。そして、各第１扁平管２６が各第１伝熱フィン２５と組み合わされるときには、各第１伝熱フィン２５と各第１扁平管２６とは互いに直交するように配置される。同様に、各第２扁平管２８も、左右方向（Ｙ方向）に延びている。従って、複数の第２扁平管２８は、複数の第１扁平管２６の延びるＹ方向に沿って延びている。各第２扁平管２８が各第２伝熱フィン２７と組み合わされるときには、各第２伝熱フィン２７と各第２扁平管２８とは互いに直交するように配置される。送風ファン３０によって発生する気流ＡＦは、互いに隣接する第１扁平管２６の間を通り抜けるか、又は互いに隣接する第２扁平管２８の間を通り抜ける。
【００３９】
図４には、熱交換器２０の第１熱交換部２１及び第２熱交換部２２の一部が拡大して示されている。第１伝熱フィン２５は、第１主部２５ａと第１連通部２５ｂとに分けられる。第１主部２５ａは、第１伝熱フィン２５の上側に位置している。この第１主部２５ａには、第１扁平管２６の差し込まれる複数の第１切り欠き２５ｃが形成されている。言い換えれば、この第１切り欠き２５ｃが形成されている領域（第１伝熱フィン２５の長手方向に延びている領域）が第１主部２５ａである。そして、第１連通部２５ｂは、第１伝熱フィン２５の下側に位置している。つまり、第１連通部２５ｂは、第１伝熱フィン２５において、第１切り欠き２５ｃの第１開口端２５ｄとは反対側に位置している。
【００４０】
同様に、第２伝熱フィン２７は、第２主部２７ａと第２連通部２７ｂとに分けられる。第２主部２７ａは、第２伝熱フィン２７の上側に位置している。この第２主部２７ａには、第２扁平管２８の差し込まれる複数の第２切り欠き２７ｃが形成されている。言い換えれば、この第２切り欠き２７ｃが形成されている領域（第２伝熱フィン２７の長手方向に延びている領域）が第２主部２７ａである。そして、第２連通部２７ｂは、第２伝熱フィン２７の下側に位置している。つまり、第２連通部２７ｂは、第２伝熱フィン２７において、第２切り欠き２７ｃの第２開口端２７ｄとは反対側に位置している。
【００４１】
（３）送風ファン３０
送風ファン３０には、例えば遠心ファンを用いることができる。送風ファン３０が設置されている送風機室１８は、熱交換器２０と吹出口１４との間にあり、送風ファン３０が熱交換器２０の方から引っ張った空気を吹出口１４から押出すことにより、前から後ろに向かって即ち熱交換器２０の端部２１ｂ，２２ｂから端部２１ａ，２２ａに向かって流れる気流ＡＦを発生している。
【００４２】
送風ファン３０は、第１熱交換部２１と第２熱交換部２２の横に配置されている。そして、送風ファン３０によって発生される気流ＡＦの風上側に第１伝熱フィン２５の第１連通部２５ｂが配置され、第１主部２５ａが風下側に配置されている。また、気流ＡＦの風上側に第２伝熱フィン２７の第２主部２７ａが配置され、第２連通部２７ｂが風下側に配置されている。
【００４３】
熱交換ユニット１０は、送風ファン３０により熱交換器２０に流入する気流の前面風速が２ｍ／ｓｅｃ以下に調整できるように構成されている。言い換えれば、熱交換器２０に垂直に流入する気流の面平均速度が２ｍ／ｓｅｃ以下に調整できるように熱交換ユニット１０が構成されているということである。熱交換ユニット１０が、送風ファン３０により前面風速が２ｍ／ｓｅｃ以下になるように調節するのは、例えば、冷房中であって熱交換器２０が結露をする条件を満たすときに限ってもよい。暖房中には、熱交換器２０で結露をすることは無いので、前面風速を２ｍ／ｓｅｃよりも大きく調整できるように熱交換ユニット１０を構成してもよい。また、水飛びが起き難い箇所では、局所的に前面風速が４ｍ／ｓｅｃ程度になる箇所があってもよい。その部分の排水が悪化した結果、通風抵抗が増加して通風速度が低下すれば、その部分の結露水は、風上側の第１連通部２５ｂ（導水経路）から排水される。
【００４４】
熱交換器２０での排水性の評価は、例えば図２３（ａ）及び図２３（ｂ）に示されているように、前面側通風路６１と背面側通風路６２の間に第１熱交換部２１（又は第２熱交換部２２）と従来の熱交換部１２１を配置して行われる。排水性の評価は、例えば、傾斜した熱交換部に前面側通風路６１を通じて湿り空気を流入させ、扁平管内に所定温度の冷水を流通させ、結露水の排水を目視で確認することにより行うことができる。また、通風抵抗測定器７０によって、例えば、前面側通風路６１と背面側通風路６２の圧力差を計測することにより、熱交換部の通風抵抗を測定することができる。
【００４５】
図２３（ａ）及び図２３（ｂ）に示されている気流ＡＦは、前面側通風路６１の垂直面６３を通過する面平均速度が様々に変更される。変化する面平均速度に対して、通風抵抗が通風抵抗測定器７０によって測定される。図２４には、気流ＡＦ（前面側通風路６１の送風方向）に対して３０度（鋭角）の角度で第１熱交換部２１（又は第２熱交換部２２）と従来の熱交換部１２１を配置した場合の前面風速Ｖａと通風抵抗ΔＰとの関係が示されている。図２４に示されている前面風速Ｖａ１ｍ／ｓｅｃは、第１熱交換部２１（又は第２熱交換部２２）において水飛び（結露水の飛散）の発生が起こらない限界の風速であり、図２４に示されている前面風速Ｖａ２ｍ／ｓｅｃは、従来の熱交換部１２１において水飛びの発生が起こらない限界の風速である。
【００４６】
前面風速が２ｍ／ｓｅｃ以下の低風速の場合には、結露水の排水は、従来の熱交換部１２１よりも第１熱交換部２１（又は第２熱交換部２２）の方が良い。また、従来の熱交換部１２１は、通風抵抗ΔＰが第１熱交換部２１（又は第２熱交換部２２）よりも大きくなる。従って、熱交換ユニット１０は、気流ＡＦに対して３０度の角度で第１熱交換部２１（又は第２熱交換部２２）を配置した場合、前面風速を２ｍ／ｓｅｃ以下に調整することにより、図２４に示されているように、通風抵抗を小さくして結露水の排水性を従来の熱交換部１２１よりも良くすることができる。しかし、前面風速が２ｍ／ｓｅｃよりも大きい高風速の場合には、結露水の排水は、第１熱交換部２１（又は第２熱交換部２２）よりも従来の熱交換部１２１の方が良い。第１熱交換部２１（又は第２熱交換部２２）は、通風抵抗ΔＰが従来の熱交換部１２１よりも大きくなる。また、水飛び限界風速は、第１熱交換部２１（又は第２熱交換部２２）よりも従来の熱交換部１２１の方が高い。
【００４７】
図２４には、気流ＡＦに対して３０度の角度で熱交換部を配置して行った熱交換器２０の排水性の評価を示したが、角度を２０度から８５度（鋭角）の範囲で変化させても、前面風速を２ｍ／ｓｅｃ以下にすれば、第１熱交換部２１（又は第２熱交換部２２）の通風抵抗を従来の熱交換部１２１の通風抵抗と同程度かそれよりも小さくして、水飛びを抑制しながら、第１熱交換部２１（又は第２熱交換部２２）の排水性を従来の熱交換部１２１よりも良くすることができる。
【００４８】
また、図２５（ａ）には、前面側通風路６１と背面側通風路６２との間に、気流ＡＦに対して１５０度の角度で第１熱交換部２１（又は第２熱交換部２２）を配置した例が示されており、図２５（ｂ）には、前面側通風路６１と背面側通風路６２との間に、気流ＡＦに対して１５０度（鈍角）の角度で従来の熱交換部１２１を配置した例が示されている。気流ＡＦが横吹きの場合（第１熱交換部２１及び第２熱交換部２２の横に送風ファン３０が配置されている場合）、横吹き気流ＡＦと熱交換部のなす角度が１５０度（鈍角）のときには、いずれの風速域においても、第１連通部２５ｂ（又は第２連通部２７ｂ）が下向きとなる設置（図２５（ａ）参照）の方が、連通部が上向きとなる設置（２５（ｂ）参照）より通風抵抗を小さくして排水性を従来の熱交換部１２１よりも良くすることができる。なお、横吹き気流ＡＦと熱交換部のなす角度を９５度から１６０度（鈍角）の範囲で変化させた場合も同様である。
【００４９】
また、図２３（ａ）及び図２５（ａ）を用いて説明したのは、気流が横吹きの場合（第１熱交換部２１及び第２熱交換部２２の横に送風ファン３０が配置されている場合）に対応するが、気流が上下に吹く場合（第１熱交換部２１及び第２熱交換部２２に下方から上方に又は上方から下方に送風ファン３０が気流を発生させる場合）でも同様の事柄がいえる。第１伝熱フィン２５（又は第２伝熱フィン２７）で挟まれた狭い空間内では、気流ＡＦが最も送風抵抗の小さい箇所を通過するので、結果的に、第１熱交換部２１（又は第２熱交換部２２）では、第１扁平管２６（又は第２扁平管２８）の幅方向に沿った方向に空気が流れるからである。ここで、第１扁平管２６（又は第２扁平管２８）の幅方向とは、冷媒が流れる方向に対して垂直に第１扁平管２６（又は第２扁平管２８）を切断したときに現れる断面形状の長さが長い方向、言い換えると第１扁平管２６（又は第２扁平管２８）の中の冷媒の複数の流路が多く並ぶ方向である。
【００５０】
（４）変形例
（４−１）変形例１Ａ
上記第１実施形態では、互いに接触する第１熱交換部２１の端部２１ａと第２熱交換部２２の端部２２ａの側に送風ファン３０が配置され、送風ファン３０は、熱交換器２０の下流側に配置されているが、図５に示されているように、送風ファン３０を熱交換器２０の上流側に配置するとともに、互いに離れている第１熱交換部２１の端部２１ｂと第２熱交換部２２の端部２２ｂを送風ファン３０の側に配置することもできる。
【００５１】
図５に示されているように配置された場合も、第１熱交換部２１は、第２熱交換部２２の上端部である端部２２ａから上に向かって第２熱交換部２２とは異なる方向に延びている。つまり、第１熱交換部２１は、第１熱交換部２１の端部２１ａから、風上側の上方に向かって延びているのに対し、第２熱交換部２２は、第２熱交換部２２の端部２２ａから、風上側の下方に向かって延びている。
【００５２】
図５のように配置された場合も上記第１実施形態と同様に、第１熱交換部２１の第１伝熱フィン２５の第１主部２５ａは風下側に位置し、第１連通部２５ｂは風上側に位置する。また、第２熱交換部２２の第２伝熱フィン２７の第２主部２７ａは風上側に位置し、第２連通部２７ｂは風下側に位置する。
【００５３】
（４−２）変形例１Ｂ
上記第１実施形態及び変形例１Ａでは、互いに近接する第１熱交換部２１の端部２１ａと第２熱交換部２２の端部２２ａが風下側にあり、互いに離れている第１熱交換部２１の端部２１ｂと第２熱交換部２２の端部２２ｂが風上側にある場合を例に挙げて説明した。また、上記第１実施形態では、互いに近接する第１熱交換部２１の端部２１ａと第２熱交換部２２の端部２２ａの側に送風ファン３０が配置されている。
【００５４】
しかし、熱交換ユニット１０に配置される熱交換器２０の向きは、上記第１実施形態の例に限られるものではない。例えば、図６に示されているように、互いに近接する第１熱交換部２１の端部２１ａと第２熱交換部２２の端部２２ａを風下側に配置するとともに、互いに離れている第１熱交換部２１の端部２１ｂと第２熱交換部２２の端部２２ｂの側に送風ファン３０を配置してもよい。
【００５５】
図６のように配置された熱交換器２０では、第１熱交換部２１は、第２熱交換部２２の上端部である端部２２ａから上に向かって第２熱交換部２２とは異なる方向に延びている。つまり、第１熱交換部２１は、第１熱交換部２１の端部２１ａから、風下側の上方に向かって延びているのに対し、第２熱交換部２２は、第２熱交換部２２の端部２２ａから、風下側の下方に向かって延びている。
【００５６】
図６のように配置された第１熱交換部２１の第１伝熱フィン２５の第１主部２５ａは風上側に位置し、第１連通部２５ｂは風下側に位置する。また、第２熱交換部２２の第２伝熱フィン２７の第２主部２７ａは風下側に位置し、第２連通部２７ｂは風上側に位置する。
【００５７】
（４−３）変形例１Ｃ
上記変形例１Ｂでは、互いに離れている第１熱交換部２１の端部２１ｂと第２熱交換部２２の端部２２ｂの側に送風ファン３０が配置され、送風ファン３０は、熱交換器２０の下流側に配置されているが、図７に示されているように、送風ファン３０を熱交換器２０の上流側に配置するとともに、互いに近接している第１熱交換部２１の端部２１ａと第２熱交換部２２の端部２２ａを送風ファン３０の側に配置することもできる。
【００５８】
図７に示されているように配置された場合も、第１熱交換部２１は、第２熱交換部２２の上端部である端部２２ａから上に向かって第２熱交換部２２とは異なる方向に延びている。つまり、第１熱交換部２１は、第１熱交換部２１の端部２１ａから、風下側の上方に向かって延びているのに対し、第２熱交換部２２は、第２熱交換部２２の端部２２ａから、風下側の下方に向かって延びている。
【００５９】
図７のように配置された場合も変形例１Ｂと同様に、第１熱交換部２１の第１伝熱フィン２５の第１主部２５ａは風上側に位置し、第１連通部２５ｂは風下側に位置する。また、第２熱交換部２２の第２伝熱フィン２７の第２主部２７ａは風下側に位置し、第２連通部２７ｂは風上側に位置する。
【００６０】
（４−４）変形例１Ｄ
上記第１実施形態、変形例１Ａ乃至変形例１Ｃでは、第１熱交換部２１の端部２１ａと第２熱交換部２２の端部２２ａが接触している場合について説明したが、第１熱交換部２１の端部２１ａと第２熱交換部２２の端部２２ａが互いに接近しているが、接触していないように構成することもできる。これらの場合、第１熱交換部２１は、第２熱交換部２２の上端部である端部２２ａの近傍から上に向かって延びるように配置されるものとなる。
【００６１】
（５）特徴
（５−１）
上述の第１実施形態及び変形例１Ａ乃至変形例１Ｄに係る熱交換ユニット１０の熱交換器２０においては、第１熱交換部２１の第１伝熱フィン２５の第１連通部２５ｂが下側に位置し、第２熱交換部２２の第２伝熱フィン２７の第２連通部２７ｂも下側に位置することから、図８に示されているように、第１連通部２５ｂも第２連通部２７ｂも結露水１００の流路とすることができる。図８に示されている熱交換器２０では、第１連通部２５ｂと第２連通部２７ｂとに接触する仕切板２３も結露水１００の流路になる。図８の矢印ｇに示されている重力によって結露水１００が第１熱交換部２１の第１連通部２５ｂと第２熱交換部２２の第２連通部２７ｂとを流れるので結露水１００の飛散が防止される。上述の第１実施形態及び変形例１Ａ乃至変形例１Ｄの熱交換器２０は、第１扁平管２６と第２扁平管２８を差し込む第１切り欠き２５ｃと第２切り欠き２７ｃが形成されている第１伝熱フィン２５と第２伝熱フィン２７用いることで熱交換ユニット１０の軽量コンパクト化が図れている。
【００６２】
それに対して、図９に示されているように、第２熱交換部２２において、下側に第２主部２７ａが配置され、上側に第２連通部２７ｂが配置されている場合には、第２主部２７ａにおいて第２扁平管２８が結露水１００の流れの妨げになる。そのため、第２扁平管２８の上方の第２伝熱フィン２７に沿って結露水１００の溜まりができてしまう。このように溜まった結露水１００が気流ＡＦで飛ばされ易いために、結露水１００が飛散し易くなる。
【００６３】
（５−２）
図３及び図５に示されている第１実施形態及び変形例１Ａに係る熱交換器２０において、第１熱交換部２１では、結露水１００が重力により第１連通部２５ｂを伝う方向が気流ＡＦの向きに対して順方向になっている。従って、第２熱交換部２２の上側の端部２２ａ又はその近傍に、第１熱交換部２１で発生した結露水１００を集め易くなる。また、第２熱交換部２２では、第２扁平管２８を結露水１００が重力によって伝う方向が気流ＡＦの向きに対して順方向になり、第２連通部２７ｂが風下側に位置することから第２主部２７ａから第２連通部２７ｂに結露水を集め易くなる。その結果、第２熱交換部２２での結露水１００の飛散を抑制する効果を高め且つ第２熱交換部２２の第２連通部２７ｂを使って速やかに結露水１００を排水することができる。
【００６４】
（５−３）
図６及び図７に示されている変形例１Ｂ及び変形例１Ｃに係る熱交換器２０において、第１熱交換部２１では、第１扁平管２６を結露水１００が重力によって伝う方向が気流ＡＦの向きに対して順方向になるので第１主部２５ａを風下側に位置させる場合に比べて結露水１００の飛散を少なくすることができる。また、第２熱交換部２２では、第２連通部２７ｂの風下側が下がっていることから第２連通部２７ｂを結露水１００が重力によって伝う方向が気流ＡＦの向きに対して順方向になるので第２連通部２７ｂに集まった結露水１００を第２連通部２７ｂの下端に移動させ易くなる。その結果、第１熱交換部２１での結露水１００の飛散を抑制する効果を高め且つ第２熱交換部２２の第２連通部２７ｂを使って速やかに結露水１００を排水することができる。
【００６５】
（５−４）
上述の第１実施形態及び変形例１Ａ乃至変形例１Ｃに係る熱交換器２０においては、第１熱交換部２１が斜め上向きに延びるとともに第２熱交換部２２は斜め下向きに延びることにより、第１伝熱フィン２５及び第２伝熱フィン２７の面に垂直な方向から見たときに、第１熱交換部２１と第２熱交換部２２が楔形の形状を呈するように互いに接続されている。従って、第１扁平管２６及び第２扁平管２８で風向きが斜め方向に変更され、また第１連通部２５ｂ及び第２連通部２７ｂが斜め方向に延びていて第１連通部２５ｂ及び第２連通部２７ｂが斜め方向に結露水１００を導くことができるので、垂直方向に導く場合などに比べて水平方向への結露水１００の飛散が抑制される。
【００６６】
（５−５）
熱交換ユニット１０は、前面風速を２ｍ／ｓｅｃ以下にする調整をすることにより、図２４に示されているように、第１熱交換部２１において、通風抵抗の増加を抑制して結露水の排水性を良くすることができる範囲で熱交換を行わせることができる。このように調整された熱交換ユニット１０では、通風抵抗の増加を抑制して結露水の排水性を良くすることができる。
【００６７】
＜第２実施形態＞
（６）ダクト型の熱交換ユニットの構成
上記第１実施形態の熱交換ユニット１０は、熱交換器２０と送風ファン３０が横に並んで配置されている。しかし、図１０及び図１１に示されている第２実施形態の熱交換ユニット１０Ａのように、熱交換器２０と送風ファン３０を上下に配置することもできる。図１０及び図１１に示されている熱交換ユニット１０Ａは、ケーシング１１と、仕切部材１２と、熱交換器２０と、送風ファン３０と、ドレンパン４０Ａとを備えている。なお、熱交換器２０の第１伝熱フィン２５と第１扁平管２６と第２伝熱フィン２７と第２扁平管２８との位置関係をわかり易くするため、図１１には、熱交換器２０をＸＺ平面に沿って切断した熱交換器２０の断面が示されている。
【００６８】
熱交換ユニット１０Ａは、図１０に示されているように縦置きにして、熱交換器２０と送風ファン３０を上下に（Ｚ方向に）並べて配置することもできるが、第１実施形態の熱交換ユニット１０のように横置きにして熱交換器２０と送風ファン３０を前後に（Ｘ方向に）並べて配置することもできる。このように、縦置きと横置きの両方の置き方を可能にするために、熱交換ユニット１０Ａのドレンパン４０Ａは、第１ドレンパン４１と第２ドレンパン４２とを備えている。図１１に示されているように、熱交換ユニット１０Ａが縦置きになっているときには、熱交換器２０で生じる結露水を第２ドレンパン４２で受ける。横置きになっているときには、熱交換器２０で生じる結露水を第１ドレンパン４１で受ける。従って、横置きにするときには、熱交換器２０の下に第１ドレンパン４１が配置される状態になる。
【００６９】
縦置きの状態では、吸込口１３はケーシング１１の下面１１ｄに形成され、吹出口１４はケーシング１１の上面１１ｃに形成されている。吸込口１３の上に配置される第２ドレンパン４２は、吸込口１３を塞がないように吸込口１３の周囲に配置される。吸込口１３の下には吸込ダクト１５が接続され、吹出口１４の上には吹出ダクト１６が接続される。吸込口１３に続けて熱交換器室１７と、熱交換器室１７の上方に送風機室１８が配置され、送風機室１８が吹出口１４に続いている。熱交換器室１７と送風機室１８とは仕切部材１２によって仕切られている。熱交換器２０は、熱交換器室１７に設置され、送風ファン３０は、送風機室１８に設置されている。送風ファン３０は、吸込口１３から熱交換器室１７と送風機室１８とを経由して吹出口１４に向かって流れる気流を生成する。
【００７０】
（７）熱交換器２０
第２実施形態の熱交換ユニット１０Ａの熱交換器２０は、第１実施形態の熱交換ユニット１０の熱交換器２０と同様に、第１熱交換部２１と第２熱交換部２２とを備え、第１熱交換部２１が複数の第１伝熱フィン２５と複数の第１扁平管２６を有し、第２熱交換部２２が複数の第２伝熱フィン２７と複数の第２扁平管２８を有している。第１熱交換部２１の一方の端部２１ａと第２熱交換部２２の一方の端部２２ａとは仕切板２３で接続されている。
【００７１】
第１熱交換部２１は、その端部２１ａに接触した第２熱交換部２２の端部２２ａから第２熱交換部２２とは異なる方向に延びている。つまり、図１１に示されている第１熱交換部２１が端部２１ａから気流ＡＦの上流側の右斜め下方に向かって延びているのに対して、第２熱交換部２２は、端部２１ａから気流ＡＦの上流側の左斜め下方に向かって延びている。つまり、熱交換器２０を側面から見ると、第１熱交換部２１と第２熱交換部２２がΛ形（逆Ｖ字形）の形状を呈する。このとき上流側に配置されている他の端部２１ｂ，２２ｂは、互いに左右方向に（Ｘ方向に）離れており、第１熱交換部２１の端部２１ｂがケーシング１１の右側面１１ｅの近傍に配置され、第２熱交換部２２の端部２２ｂがケーシング１１の左側面１１ｆの近傍に配置される。
【００７２】
各第１伝熱フィン２５及び各第２伝熱フィン２７は、ＸＺ平面に平行に配置されている。そして、複数の第１伝熱フィン２５及び複数の第２伝熱フィン２７は、左右方向（Ｙ方向）に並べられている。送風ファン３０によって発生する気流ＡＦは、互いに隣接する第１伝熱フィン２５の間を通り抜けるか、又は互いに隣接する第２伝熱フィン２７の間を通り抜ける。
【００７３】
各第１扁平管２６及び各第２扁平管２８は、左右方向（Ｙ方向）に延びている。そして、各第１扁平管２６が各第１伝熱フィン２５と組み合わされるときには、各第１伝熱フィン２５と各第１扁平管２６とは互いに直交するように配置される。各第２扁平管２８が各第２伝熱フィン２７と組み合わされるときには、各第２伝熱フィン２７と各第２扁平管２８とは互いに直交するように配置される。送風ファン３０によって発生する気流ＡＦは、互いに隣接する第１扁平管２６の間を通り抜けるか、又は互いに隣接する第２扁平管２８の間を通り抜ける。
【００７４】
第１主部２５ａ及び第２主部２７ａは、第１伝熱フィン２５及び第２伝熱フィン２７の上側に位置し、第１連通部２５ｂ及び第２連通部２７ｂは、第１伝熱フィン２５及び第２伝熱フィン２７の下側に位置している。
【００７５】
（８）送風ファン３０
送風ファン３０が設置されている送風機室１８は、熱交換器２０と吹出口１４との間にあり、送風ファン３０が熱交換器２０の方から引っ張った空気を吹出口１４から押出すことにより、下から上に向かって即ち熱交換器２０の端部２１ｂ，２２ｂから端部２１ａ，２２ａに向かって流れる気流ＡＦを発生している。
【００７６】
送風ファン３０は、第１熱交換部２１と第２熱交換部２２の上に配置されている。そして、送風ファン３０によって発生される気流ＡＦの風上側に第１伝熱フィン２５の第１連通部２５ｂ及び第２伝熱フィン２７の第２連通部２７ｂが配置され、第１主部２５ａ及び第２主部２７ａが風下側に配置されている。
【００７７】
（９）変形例
（９−１）変形例２Ａ
上記第２実施形態では、互いに接触する第１熱交換部２１の端部２１ａと第２熱交換部２２の端部２２ａの側に送風ファン３０が配置され、送風ファン３０は、熱交換器２０の下流側に配置されているが、図１２に示されているように、送風ファン３０を熱交換器２０の上流側に配置するとともに、互いに離れている第１熱交換部２１の端部２１ｂと第２熱交換部２２の端部２２ｂを送風ファン３０の側に配置することもできる。
【００７８】
図１２に示されているように配置された場合も、第１熱交換部２１は、第２熱交換部２２の上端部である端部２２ａから右下方に向かって第２熱交換部２２とは異なる方向に延びている。つまり、第１熱交換部２１は、第１熱交換部２１の端部２１ａから、風上側の右下方に向かって延びているのに対し、第２熱交換部２２は、第２熱交換部２２の端部２２ａから、風上側の左下方に向かって延びている。
【００７９】
図１２のように配置された場合も上記第２実施形態と同様に、第１熱交換部２１の第１伝熱フィン２５の第１主部２５ａは風下側に位置し、第１連通部２５ｂは風上側に位置する。また、第２熱交換部２２の第２伝熱フィン２７の第２主部２７ａは風下側に位置し、第２連通部２７ｂは風上側に位置する。
【００８０】
（９−２）変形例２Ｂ，２Ｃ
上記第２実施形態及び変形例２Ａでは、互いに接触する第１熱交換部２１の端部２１ａと第２熱交換部２２の端部２２ａを下方に配置し、互いに離れている第１熱交換部２１の端部２１ｂと第２熱交換部２２の端部２２ｂを上方に配置するようにしてもよい。その際に、送風ファン３０が熱交換器２０よりも上に配置されているのが変形例２Ｂであり（図１３参照）、送風ファン３０が熱交換器２０よりも下に配置されているのが変形例２Ｃである（図１４参照）。
【００８１】
図１３及び図１４に示されているように配置された場合は、第１熱交換部２１は、第２熱交換部２２の上端部である端部２２ａから右上方に向かって第２熱交換部２２とは異なる方向に延びている。つまり、第１熱交換部２１は、第１熱交換部２１の端部２１ａから、風下側の右上方に向かって延びているのに対し、第２熱交換部２２は、第２熱交換部２２の端部２２ａから、風下側の左上方に向かって延びている。
【００８２】
図１３及び図１４のように配置された場合は、第１熱交換部２１の第１伝熱フィン２５の第１主部２５ａ及び第２熱交換部２２の第２伝熱フィン２７の第２主部２７ａは風下側に位置し、第１連通部２５ｂ及び第２連通部２７ｂは風上側に位置する。
【００８３】
（９−３）変形例２Ｄ，２Ｅ，２Ｆ，２Ｇ
上記第２実施形態及び変形例２Ａ乃至変形例２Ｃでは、気流ＡＦが下から上に向かって吹き上げているが、逆に上から下に流れる気流ＡＦを生じさせてもよい。変形例２Ｄの熱交換ユニット１０Ａ（図１５参照）は、熱交換器２０と送風ファン３０の位置関係を図１１に示した第２実施形態の熱交換ユニット１０Ａと同じにして、気流ＡＦの向きだけを逆向きに変更したものである。変形例２Ｅの熱交換ユニット１０Ａ（図１６参照）は、熱交換器２０と送風ファン３０の位置関係を図１２に示した変形例２Ａの熱交換ユニット１０Ａと同じにして、気流ＡＦの向きだけを逆向きに変更したものである。変形例２Ｆの熱交換ユニット１０Ａ（図１７参照）は、熱交換器２０と送風ファン３０の位置関係を図１３に示した変形例２Ｂの熱交換ユニット１０Ａと同じにして、気流ＡＦの向きだけを逆向きに変更したものである。変形例２Ｇの熱交換ユニット１０Ａ（図１８参照）は、熱交換器２０と送風ファン３０の位置関係を図１４に示した変形例２Ｃの熱交換ユニット１０Ａと同じにして、気流ＡＦの向きだけを逆向きに変更したものである。
【００８４】
図１５、図１６、図１７及び図１８のように配置された場合は、第１熱交換部２１の第１伝熱フィン２５の第１主部２５ａ及び第２熱交換部２２の第２伝熱フィン２７の第２主部２７ａは風上側に位置し、第１連通部２５ｂ及び第２連通部２７ｂは風下側に位置する。
【００８５】
（９−４）変形例２Ｈ
上記第２実施形態、変形例２Ａ乃至変形例２Ｇでは、第１熱交換部２１の端部２１ａと第２熱交換部２２の端部２２ａが接触している場合について説明したが、第１熱交換部２１の端部２１ａと第２熱交換部２２の端部２２ａが互いに接近しているが、接触していないように構成することもできる。
【００８６】
（１０）特徴
（１０−１）
上述の第２実施形態、及び変形例２Ａ乃至変形例２Ｇに係る熱交換ユニット１０Ａの熱交換器２０においては、第１熱交換部２１の第１伝熱フィン２５の第１連通部２５ｂが下側に位置し、第２熱交換部２２の第２伝熱フィン２７の第２連通部２７ｂも下側に位置することから、第１連通部２５ｂも第２連通部２７ｂも結露水１００の流路とすることができる。重力によって結露水が第１熱交換部２１の第１連通部２５ｂと第２熱交換部２２の第２連通部２７ｂとを流れるので結露水の飛散が防止される。また、上述の第１実施形態及び変形例１Ａ乃至変形例１Ｄの熱交換器２０は、第１扁平管２６と第２扁平管２８を差し込む第１切り欠き２５ｃと第２切り欠き２７ｃが形成されている第１伝熱フィン２５と第２伝熱フィン２７用いることで、構成を複雑にすること無く、熱交換ユニット１０Ａの軽量コンパクト化が図れている。
【００８７】
（１０−２）
図１１に示されている第２実施形態及び図１２に示されている変形例２Ａに係る熱交換ユニット１０Ａの熱交換器２０において、重力により上から下に結露水が流れて上側の第１主部２５ａから下側の第１連通部２５ｂに向けてまた上側の第２主部２７ａから下側の第２連通部２７ｂに向けて結露水が流れる。そのため、第１連通部２５ｂ及び第２連通部２７ｂに結露水を集め易くなる。また、第１連通部２５ｂ及び第２連通部２７ｂで導水でき、逆に第１主部２５ａ及び第２主部２７ａを下方の風上側に位置させる場合に比べて結露水の飛散を少なくすることができる。さらに、第１連通部２５ｂ及び第２連通部２７ｂを流れる結露水に対して下から空気が吹きつけることで、結露水が気流ＡＦによって押し上げられ、結露水が第１連通部２５ｂ及び第２連通部２７ｂの途中で落下せずに下端まで流れ易くなる。このように、第１連通部２５ｂ及び第２連通部２７ｂの下端である端部２１ｂ，２２ｂまで結露水を導き易くなり、第１連通部２５ｂ及び第２連通部２７ｂにより導かれた結露水は、熱交換器２０の外周にある第２ドレンパン４２で集めることができる。
【００８８】
（１０−３）
図１３に示されている変形例２Ｂ及び図１４に示されている変形例２Ｃに係る熱交換ユニット１０Ａの熱交換器２０において、重力により上から下に結露水が流れて上側の第１主部２５ａから下側の第１連通部２５ｂに向けてまた上側の第２主部２７ａから下側の第２連通部２７ｂに向けて結露水が流れる。そのため、第１連通部２５ｂ及び第２連通部２７ｂに結露水を集め易くなる。また、第１連通部２５ｂ及び第２連通部２７ｂで導水でき、逆に第１主部２５ａ及び第２主部２７ａを下方の風上側に位置させる場合に比べて結露水の飛散を少なくすることができる。さらに、第１連通部２５ｂ及び第２連通部２７ｂを流れる結露水に対して下から空気が吹きつけることで、結露水が気流ＡＦによって押し上げられ、結露水が第１連通部２５ｂ及び第２連通部２７ｂの途中で落下せずに下端まで流れ易くなる。このように、第１連通部２５ｂ及び第２連通部２７ｂの下端である端部２１ａ，２２ａまで結露水を導き易くなり、第１連通部２５ｂ及び第２連通部２７ｂにより導かれた結露水は、熱交換器２０の中央付近にあるドレンパン（図示せず）で集めることができる。
【００８９】
（１０−４）
図１５に示されている変形例２Ｄ及び図１６に示されている変形例２Ｅに係る熱交換ユニット１０Ａの熱交換器２０においては、送風ファン３０により、第１熱交換部２１及び第２熱交換部２２に上方から下方に向かう気流ＡＦが発生している。第１熱交換部２１及び第２熱交換部２２は、互いに接近又は互いに接触した上端部である端部２２ａ，２２ａからそれぞれ反対方向に向かって下に延びている。そして、第１主部２５ａ及び第２主部２７ａが風上側に位置するとともに第１連通部２５ｂ及び第２連通部２７ｂが風下側に位置するように配置されている。従って、重力により第１主部２５ａから第１連通部２５ｂに向けてまた第２主部２７ａから第２連通部２７ｂに向けて上から下に結露水が流れる方向が気流ＡＦに対して順方向になる。その結果、速やかに結露水を下方に集めることができ、第１連通部及び第２連通部の下端まで速やかに結露水を導くことができる。また、下方の連通する第１連通部２５ｂ及び第２連通部２７ｂに結露水が導かれ、第１主部２５ａ及び第２主部２７ａを下方の風下側に位置させる場合に比べて結露水の飛散を少なくすることができる。
【００９０】
（１０−５）
図１６に示されている変形例２Ｆ及び図１７に示されている変形例２Ｇに係る熱交換ユニット１０Ａの熱交換器２０においては、送風ファン３０により、第１熱交換部２１及び第２熱交換部２２に上方から下方に向かう気流ＡＦが発生している。第１熱交換部２１及び第２熱交換部２２は、互いに接近又は互いに接触した下端部である端部２２ａ，２２ａからそれぞれ反対方向に向かって上に延びている。そして、第１主部２５ａ及び第２主部２７ａが風上側に位置するとともに第１連通部２５ｂ及び第２連通部２７ｂが風下側に位置するように配置されている。従って、重力により第１主部２５ａから第１連通部２５ｂに向けてまた第２主部２７ａから第２連通部２７ｂに向けて上から下に結露水が流れる方向が気流ＡＦに対して順方向になる。その結果、速やかに結露水を下方に集めることができ、第１連通部及び第２連通部の下端まで速やかに結露水を導くことができる。また、下方の連通する第１連通部２５ｂ及び第２連通部２７ｂに結露水が導かれ、第１主部２５ａ及び第２主部２７ａを下方の風下側に位置させる場合に比べて結露水の飛散を少なくすることができる。
【００９１】
＜第３実施形態＞
（１１）壁掛け型の熱交換ユニットの構成
図１９には、壁掛け型の熱交換ユニットの構成が示されている。壁掛け型の熱交換ユニット１０Ｂは、ケーシング１１と、熱交換器２０Ｂと、送風ファン３０と、ドレンパン４０Ｂとを備えている。ケーシング１１の上部に吸込口１３が形成され、ケーシング１１の下部に吹出口１４が形成されている。吹出口１４には、吹出される気流の向きを調節するための水平羽根１４ａと垂直羽根１４ｂが取り付けられている。
【００９２】
吸込口１３の下流には、熱交換器２０Ｂの上部を覆うようにエアフィルタ１９が設置されている。送風ファン３０は、例えばクロスフローファンで構成され、ケーシング１１の中央付近に配置されている。エアフィルタ１９と送風ファン３０の間に熱交換器２０Ｂが配置されている。この送風ファン３０は、吸込口１３からエアフィルタ１９と熱交換器２０Ｂを順に経由して吹出口１４に向かって流れる気流ＡＦを生成する（図２０参照）。
【００９３】
（１２）熱交換器２０Ｂ
図２０には、熱交換器２０Ｂの断面が示されている。上記第１実施形態の熱交換ユニット１０及び第２実施形態の熱交換ユニット１０Ａでは、熱交換器２０が第１熱交換部２１と第２熱交換部２２の２つのブロックで構成されている。しかし、図２０に示されている第３実施形態に係る熱交換ユニット１０Ｂのように、３つのブロックで熱交換器２０Ｂが構成されていてもよい。
【００９４】
熱交換器２０Ｂは、前面側上部熱交換部５１と前面側下部熱交換部５２と背面側熱交換部５３とにより構成されている。例えば、前面側上部熱交換部５１を第１熱交換部２１とみなし、前面側下部熱交換部５２を第２熱交換部２２とみなし、背面側熱交換部５３を第２熱交換部２２とみなすこともできる。
【００９５】
前面側上部熱交換部５１を第１熱交換部２１とみなし、前面側下部熱交換部５２を第２熱交換部２２とみなせば、熱交換器２０Ｂの前面側上部熱交換部５１と前面側下部熱交換部５２の部分の構成は、図６に示された変形例１Ｂの熱交換器２０の第１熱交換部２１と第２熱交換部２２の構成と類似になることが分かる。
【００９６】
また、前面側上部熱交換部５１を第１熱交換部２１とみなし、背面側熱交換部５３を第２熱交換部２２とみなせば、熱交換器２０Ｂの前面側上部熱交換部５１と背面側熱交換部５３の部分の構成は、左右が入れ替わって描かれているが、図１６に示された変形例２Ｅの熱交換ユニット１０Ａの第１熱交換部２１と第２熱交換部２２の構成と類似になる。
【００９７】
従って、熱交換器２０Ｂの前面側上部熱交換部５１と前面側下部熱交換部５２の部分の作用と効果は、図６に示された変形例１Ｂの熱交換器２０の第１熱交換部２１及び第２熱交換部２２と類似になるので、詳しい説明を省略する。また、熱交換器２０Ｂの前面側上部熱交換部５１と背面側熱交換部５３の作用と効果は、図１６に示された変形例２Ｅの熱交換ユニット１０Ａの第１熱交換部２１及び第２熱交換部２２と類似になるので、詳しい説明を省略する。
【００９８】
（１３）変形例
（１３−１）変形例３Ａ
上記第１実施形態、第２実施形態、第３実施形態及びそれらの変形例では、第１熱交換部２１と第２熱交換部２２の２つのブロックからなる熱交換器２０、及び前面側上部熱交換部５１と前面側下部熱交換部５２と背面側熱交換部５３の３つのブロックからなる熱交換器２０Ｂを示して説明したが、本発明が適用できるのはこれらに限られるものではなく、３つよりも多くのブロックを持つ熱交換器にも適用することができる。
【００９９】
（１３−２）変形例３Ｂ
上記第３実施形態では、前面側上部熱交換部５１の端部と前面側下部熱交換部５２の端部が接触している場合について説明したが、前面側上部熱交換部５１の端部と前面側下部熱交換部５２の端部が互いに接近しているが、接触していないように構成することもできる。また、前面側上部熱交換部５１の端部と背面側熱交換部５３の端部とが接触している場合について説明したが、前面側上部熱交換部５１の端部と背面側熱交換部５３の端部が互いに接近しているが、接触していないように構成することもできる。
【０１００】
＜第４実施形態＞
（１４）天井設置型の熱交換ユニットの構成
図２１には天井設置型の熱交換ユニットの外観が示され、図２２には図２１のＩ-Ｉ線で切断した熱交換ユニットの断面が模式的に示されている。天井設置型の熱交換ユニット１０Ｃは、ケーシング１１と、熱交換器２０Ｃと、送風ファン３０と、ドレンパン４０とを備えている。ケーシング１１の下部前方に吸込口１３が形成され、下部下方に吹出口１４が形成されている。ケーシング１１は、例えば天井ＣＥの開口部に嵌め込まれる。送風ファン３０は、例えばクロスフローファンで構成され、ケーシング１１の中央付近に配置されている。この送風ファン３０は、吸込口１３から熱交換器２０Ｃを経由して吹出口１４に向かって流れる気流ＡＦを生成する。
【０１０１】
この第４実施形態の熱交換ユニット１０Ｃの熱交換器２０Ｃが、変形例１Ａの熱交換ユニット１０の熱交換器２０（図６参照）と異なる点は、第１熱交換部２１と第２熱交換部２２のなす角である。変形例１Ａの熱交換ユニット１０の熱交換器２０においては、第１熱交換部２１と第２熱交換部２２のなす角αが鋭角である。それに対し、第４実施形態の熱交換ユニット１０Ｃの熱交換器２０Ｃにおいては、第１熱交換部２１と第２熱交換部２２のなす角βが鈍角になっている。このように、第１熱交換部２１の端部又は端部の近傍から第１熱交換部２１とは異なる方向に延びる第２熱交換部２２は、第１熱交換部２１とのなす角βが鈍角になる配置であってもよい。なお、図２２に示されている熱交換器２０では、第１連通部２５ｂと第２連通部２７ｂが結露水の流路になるとともに、第１連通部２５ｂよりも第２連通部２７ｂが下にあることから第１連通部２５ｂと第２連通部２７ｂとに接触する仕切板２３も結露水の流路になる。
【０１０２】
（１５）変形例
（１５−１）変形例４Ａ
上記第４実施形態では、１列の第１熱交換部２１と１列の第２熱交換部２２からなる熱交換器２０Ｃについて説明したが、第１熱交換部２１と第２熱交換部２２がそれぞれ２列以上であってもよい。また、第１実施形態、第２実施形態及び第３実施形態並びにそれらの変形例では、第１熱交換部２１と第２熱交換部２２がそれぞれ２列である場合について説明したが、これらはそれぞれ１列であってもよく、また３列以上であってもよい。
【０１０３】
（１５−２）変形例４Ｂ
上記第４実施形態では、第１熱交換部２１の端部２１ａと第２熱交換部２２の端部２２ａが接触している場合について説明したが、第１熱交換部２１の端部２１ａと第２熱交換部２２の端部２２ａが互いに接近しているが、接触していないように構成することもできる。
【符号の説明】
【０１０４】
１０，１０Ａ，１０Ｂ，１０Ｃ  熱交換ユニット
２０，２０Ｂ，２０Ｃ  熱交換器
２１  第１熱交換部
２２  第２熱交換部
２５  第１伝熱フィン
２５ａ  第１主部
２５ｂ  第１連通部
２５ｃ  第１切り欠き
２６  第１扁平管
２７  第２伝熱フィン
２７ａ  第２主部
２７ｂ  第２連通部
２７ｃ  第２切り欠き
２８  第２扁平管
【先行技術文献】
【特許文献】
【０１０５】
【特許文献１】特開２０１３−２２１７１３号公報
【図１】
2018044681.tif 000003
【図２】
2018044681.tif 000004
【図３】
2018044681.tif 000005
【図４】
2018044681.tif 000006
【図５】
2018044681.tif 000007
【図６】
2018044681.tif 000008
【図７】
2018044681.tif 000009
【図８】
2018044681.tif 000010
【図９】
2018044681.tif 000011
【図１０】
2018044681.tif 000012
【図１１】
2018044681.tif 000013
【図１２】
2018044681.tif 000014
【図１３】
2018044681.tif 000015
【図１４】
2018044681.tif 000016
【図１５】
2018044681.tif 000017
【図１６】
2018044681.tif 000018
【図１７】
2018044681.tif 000019
【図１８】
2018044681.tif 000020
【図１９】
2018044681.tif 000021
【図２０】
2018044681.tif 000022
【図２１】
2018044681.tif 000023
【図２２】
2018044681.tif 000024
【図２３】
2018044681.tif 000025
【図２４】
2018044681.tif 000026
【図２５】
2018044681.tif 000027